(57)【要約】
【課題】　不用意に外力が作用したとしても容易に転倒することのない液晶表示装置を提供すること。
【解決手段】　液晶表示素子２を支持する本体部１と、本体部１の裏面側下部に設けられた回転軸芯Ｘと、この回転軸芯Ｘに回転可能に取り付けられる載置支持部３と、本体部１の裏面側に設けられた載置支持部３を収納する収納凹部１１とを有し、載置支持部３を収納凹部１１に収容した第１状態と、載置支持部３を回転軸芯周りに所定角度回転させて収納凹部１１から引き出した第２状態とに切り替え可能に構成し、この第２状態を保持可能な摩擦保持機構を備えた。
【選択図】図１
0003100341.tif 000002
【実用新案登録請求の範囲】
【請求項１】
　液晶表示素子を支持する本体部と、
　本体部の裏面側下部に設けられた回転軸芯と、
　この回転軸芯に回転可能に取り付けられる載置支持部と、
　本体部の裏面側に設けられた載置支持部を収納する収納凹部とを有し、
　前記載置支持部を収納凹部に収容した第１状態と、載置支持部を前記回転軸芯周りに所定角度回転させて収納凹部から引き出した第２状態とに切り替え可能に構成し、この第２状態を保持可能な保持機構を備えたことを特徴とする液晶表示装置。
【請求項２】
　前記所定角度は、最大回転可能角度以下の任意の角度で設定可能に構成したことを特徴とする請求項１に記載の液晶表示装置。
【請求項３】
　前記保持機構は、摩擦保持機構であることを特徴とする請求項１又は２に記載の液晶表示装置。
【請求項４】
　前記第２状態に保持した状態で、前記本体部に外力が作用し、本体部が回転軸芯まわりに回転しようとした場合に、所定以上本体部を回転させないように機能するストッパーを設けたことを特徴とする請求項１〜３のいずれか１項に記載の液晶表示装置。
【請求項５】
　前記収納凹部の中に出退可能な突出部を設け、この突出部が前記ストッパーとして機能することを特徴とする請求項４に記載の液晶表示装置。
【請求項６】
　前記突出部は、付勢バネにより突出する方向に付勢されており、載置支持部が収納凹部に収納された状態では、突出部は収納凹部により強制的に退避させられており、載置支持部を収納凹部から引き出すことにより、付勢バネにより自動的に突出部が突出するように構成したことを特徴とする請求項５に記載の液晶表示装置。
【請求項７】
　本体部の裏面側であって、収納凹部の上方に壁掛け用凹部を形成したことを特徴とする請求項１に記載の液晶表示装置。
【考案の詳細な説明】
【技術分野】
【０００１】
　本考案は、平面上に容易に設置可能なポータブルな液晶表示装置に関するものである。
【背景技術】
【０００２】
　パソコン等のモニターとして液晶表示装置がよく用いられている。このような液晶表示装置は、例えば、机の上といった平面上に設置されることが一般的である。平面上におかれる場合、液晶表示装置に外力が作用した場合に容易に倒れないような構造が好ましい。
【考案の開示】
【考案が解決しようとする課題】
【０００３】
　本考案は上記実情に鑑みてなされたものであり、その課題は、不用意に外力が作用したとしても容易に転倒することのない液晶表示装置を提供することである。
【課題を解決するための手段】
【０００４】
　上記課題を解決するため本考案に係る液晶表示装置は、
　液晶表示素子を支持する本体部と、
　本体部の裏面側下部に設けられた回転軸芯と、
　この回転軸芯に回転可能に取り付けられる載置支持部と、
　本体部の裏面側に設けられた載置支持部を収納する収納凹部とを有し、
　前記載置支持部を収納凹部に収容した第１状態と、載置支持部を前記回転軸芯周りに所定角度回転させて収納凹部から引き出した第２状態とに切り替え可能に構成し、この第２状態を保持可能な保持機構を備えたことを特徴とするものである。
【０００５】
　この構成による液晶表示装置の作用・効果は、以下の通りである。液晶表示素子は、本体部により支持されている。本体部の裏面側下部には回転軸芯が設けられ、この回転軸芯に載置支持部が回転可能に取り付けられる。この載置支持部は、本体部の裏面側に設けられた収納凹部に収納可能である。これにより、コンパクトな形にできるので持ち運びが容易になる。また、載置支持部は回転軸芯周りに回転可能であり、収納凹部に収納した第１状態と、収納凹部から引き出した第２状態とに切り替え可能に構成している。この第２状態に設定することで、液晶表示装置を平面上に設置することができる。第２状態に設定した状態で、保持機構により保持される。これにより、設定した第２状態を保持することができる。また、載置支持部は、本体部の裏面側下部にて支持されているので、本体部に外力が作用したとしても容易に転倒させないようにできる。その結果、不用意に外力が作用したとしても容易に転倒することのない液晶表示装置を提供することができる。
【０００６】
　本考案の好適な実施形態として、前記所定角度は、最大回転可能角度以下の任意の角度で設定可能に構成したものがあげられる。
【０００７】
　第２状態として設定できる所定角度は１箇所ではなく、任意の角度としている。これにより、液晶表示装置を使用する者の好みに応じて設定することができる。
【０００８】
　本考案の別の好適な実施形態として、前記保持機構は、摩擦保持機構であるものがあげられる。摩擦保持機構とすることで、第２状態を摩擦により保持することができる。従って、設定を行いやすくすることができる。
【０００９】
　本考案の更に別の好適な実施形態として、前記第２状態に保持した状態で、前記本体部に外力が作用し、本体部が回転軸芯まわりに回転しようとした場合に、所定以上本体部を回転させないように機能するストッパーを設けたものがあげられる。
【００１０】
　本体部に外力が作用して、本体部が回転軸芯周りに回転しようとした場合（所定角度が小さくなる方向に回転しようとした場合）本体部があまり大きく回転させられてしまうと、転倒しやすくなる。そこで、本体部が外力により所定以上回転しないようにストッパーを設ける。これにより、転倒させにくくすることができる。
【００１１】
　本考案の更に別の好適な実施形態として、前記収納凹部の中に出退可能な突出部を設け、この突出部が前記ストッパーとして機能するものがあげられる。
【００１２】
　収納凹部の中に突出部を設けることで、この突出部が載置支持部と干渉するようにすることができる。突出部を退避させた状態にすれば、収納凹部に載置支持部を収納できるので、外観上の見栄えを良くすることができる。
【００１３】
　本考案の更に別の好適な実施形態として、前記突出部は、付勢バネにより突出する方向に付勢されており、載置支持部が収納凹部に収納された状態では、突出部は収納凹部により強制的に退避させられており、載置支持部を収納凹部から引き出すことにより、付勢バネにより自動的に突出部が突出するように構成したものがあげられる。
【００１４】
　突出部を付勢バネにより突出した方向に付勢させることで、載置支持部を収納凹部から引き出した場合、付勢バネの付勢力により突出部を突出させることができる。従って、載置支持部を回転操作して収納凹部から引き出すだけで、ストッパーを自動的にセットすることができる。
【００１５】
　本考案の更に別の好適な実施形態として、本体部の裏面側であって、収納凹部の上方に壁掛け用凹部を形成したものがあげられる。
【００１６】
　収納凹部に載置支持部を収納することができるので、載置支持部を収納した状態で壁掛け用に適した形態にすることができる。そこで、収納凹部の上方に壁掛け用凹部を設けておくことで、簡単に壁掛け用にすることができる。
【考案を実施するための最良の形態】
【００１７】
　本発明に係る液晶表示装置の好適な実施形態を図面を用いて説明する。図１は、液晶表示装置を正面側から見た外観斜視図である。図２は、液晶表示装置を裏面側から見た外観斜視図である。
【００１８】
　図１において、本体部１は額縁状に形成されており、その内部に液晶表示素子２が収容されている。本体部１は、例えば、板金プレス加工により成形される前面側部材と、裏面側部材とにより構成されている。図２において本体部１の裏面側には、突出平面部１０が形成されており、その突出平面部１０には、収納凹部１１と壁掛け用凹部１２が形成されている。壁掛け用凹部１２は、矩形状に形成された凹部であり、その内部に載置支持部３が収容可能に構成される。壁掛け用凹部１２は、液晶表示装置を壁掛け用として用いるときに使用するものであり、壁に設置したフックに引っ掛けることで液晶表示装置を壁掛け用として使用することができる。載置支持部１０は、本体部１の裏面側下部に回転軸芯を有しており、そのために一対の軸受部材４を備えている。
【００１９】
　図３は液晶表示装置を側面から見た外観図である。載置支持部３は、収納凹部１１から引き出して回転させることができる。その回転角度については、回転可能な範囲で任意に設定することができる。図３（ａ）は９０゜近くに設定し、（ｂ）は４５゜に設定している。任意の角度に設定できるように、軸受部材４には、摩擦保持機構が設けられている。摩擦力により、任意の角度に設定できるようにしている。摩擦力によるものであるから、設定したい個所に係止機構を設ける必要はなく、構成を簡素化することができる。
【００２０】
　図４、 図５は、載置支持部３及びその回転支持機構を説明する図である。図４は、本体部１の裏面側から見た構成図であり、図５は、表面側から見た内部構造を示す。軸受部材４は、第１部材４ａと第２部材４ｂとを備えており、回転軸芯Ｘ周りに相対的に回転可能に結合されている。第１部材４ａと第２部材４ｂは、摩擦保持機構により相対回転可能に支持されている。これにより、図３に示すように、本体部１を任意の角度に設定することができる。図４に示すように、軸受部材４は、載置支持部３と本体部１に対して夫々ネジにより結合される。第１部材４ａは、ネジ５により載置支持部３に対して結合される。第２部材４ｂは、ネジ６により本体部１に対して結合される。
【００２１】
　収納凹部１０の内側の壁面１１ａには、ストッパー７が設けられている。図５に示すようにストッパー７は、コの字の丸軸に形成されており、内側壁面１１ａから突出部７ａと操作部７ｂが突出した状態になっている。図５に示すように圧縮コイルバネ８（付勢バネに相当）が設けられており、ストッパー７が収納凹部１０内に突出する方向に付勢している。ストッパー７を軸支するためにガイド板９が設けられている。載置支持部３を収納凹部１１に収納した状態（第１状態）から、載置支持部３を回転させて引き出すと（第２状態）、ストッパー７は圧縮コイルバネ８の付勢力により自動的に突出した状態にセットされる。この状態で本体部１に外力が作用して、本体部１が回転軸芯Ｘ周りに回転させられて転倒しようとした場合、ストッパー７の突出部７ａが載置支持部３の端面３ａに当接するので、それ以上本体部１は回転することができない。本体部１と載置支持部３とのなす角度θ（図３（ｂ）参照）がある程度以上小さくなってしまうと、本体部１の自重により倒れようとするので、ストッパー７を設けることで本体部１の転倒を防止することができる。図６は、ストッパーが機能した状態を示す側面図である。
【００２２】
　載置支持部３を収納凹部１１に収納する場合は、操作部７ｂを手で押せば、突出部７ａが内側壁面１１ａから退避する。この状態で載置支持部３を回転させて収納凹部１１に収納させることができる。突出部７ａが載置支持部３の側面により押される状態まで回転させれば、操作部７ａも連動して対比するので、操作部７ａを押していた手を離しても良い。このように載置支持部３を収納することができるので、壁掛け用としても用いることができる。また、持ち運びの際も容易に行うことができる。
【００２３】
　図５において、図番１３は制御回路部であり、図番１４は電源回路部である。
【００２４】
　＜別実施形態＞
（１）本考案に係る液晶表示装置は、パソコン用に限定されるものではなく、テレビ用や監視用のモニター等にも用いることができる。
【図面の簡単な説明】
【００２５】
【図１】液晶表示装置を正面側から見た外観斜視図
【図２】液晶表示装置を裏面側から見た外観斜視図
【図３】液晶表示装置を側面から見た外観図
【図４】載置支持部及びその回転支持機構を説明する裏面側外観図
【図５】載置支持部及びその回転支持機構を説明する表面側内部構成図
【図６】ストッパーが機能した状態を示す側面図
【符号の説明】
【００２６】
１　　　本体部
２　　　液晶表示素子
３　　　載置支持部
４　　　軸受部材
４ａ　　第１部材
４ｂ　　第２部材
７　　　ストッパー
７ａ　　突出部
７ｂ　　操作部
８　　　圧縮コイルバネ
１０　　収納凹部
１１ａ　内側壁面
Ｘ　　　回転軸芯
【図１】
0003100341.tif 000003
【図２】
0003100341.tif 000004
【図３】
0003100341.tif 000005
【図４】
0003100341.tif 000006
【図５】
0003100341.tif 000007
【図６】
0003100341.tif 000008